(57)【要約】【課題】  スリープモードから通常モードへ復帰するとき、スリープモードへ移行前の状態に高速クロックを再現することで、消費電力を削減可能とする。【解決手段】  間欠的に送信される無線信号を受信処理する通常モードと、受信処理を停止するスリープモードとの切り替えを制御するモード制御部１１０と、通常モード時に受信処理に用いる高速クロックＣＬＫ１を発生させ、スリープモード時に高速クロックＣＬＫ１を停止する高速クロック発生器１０と、通常モードからスリープモードへ移行する前に、高速クロックＣＬＫ１の周波数を設定する周波数設定値を保持する設定値保持部１２０と、スリープモードから通常モードへ復帰するとき、設定値保持部１２０に保持された周波数設定値を高速クロック発生器１０に供給する設定値供給部１３０とを備える。【選択図】    図１
2008005336.tif 000002
【特許請求の範囲】
【請求項１】
間欠的に送信される無線信号を受信処理する第１モードと、前記受信処理を停止する第２モードとの切り替えを制御するモード制御部と、
前記第１モード時に前記受信処理に用いる高速クロックを発生させ、前記第２モード時に前記高速クロックを停止する高速クロック発生器と、
前記第１モードから前記第２モードへ移行する前に、前記高速クロックの周波数を設定する周波数設定値を保持する設定値保持部と、
前記第２モードから前記第１モードへ復帰するとき、前記設定値保持部に保持された周波数設定値を前記高速クロック発生器に供給する設定値供給部
とを備えることを特徴とする受信装置。
【請求項２】
前記高速クロックをカウントする基準カウンタと、
前記第１及び第２モード時に、前記高速クロックよりも周波数の低い低速クロックを発生させる低速クロック発生器と、
前記第１モードから前記第２モードへ移行する前に、前記高速クロック及び前記低速クロックのそれぞれの周波数の相対誤差を測定する誤差測定部と、
前記相対誤差を前記周波数設定値に対応づけて保持する誤差保持部と、
前記第２モードから前記第１モードへ復帰するとき、前記設定値保持部に保持された周波数設定値に対応する前記相対誤差を前記誤差保持部から取得し、前記取得した相対誤差と前記第２モードの持続時間とに基づいて、前記基準カウンタのカウント値を補正するカウント値補正部
とを更に備えることを特徴とする請求項１に記載の受信装置。
【請求項３】
自端末の周囲温度を示す温度情報、現在時刻を示す時刻情報、自端末の座標を示す座標情報、又は自端末の移動速度を示す速度情報の少なくとも１つを測定して測定値を得る測定器を更に備え、
前記設定値保持部は、前記周波数設定値と前記測定値とを対応づけて保持し、
前記設定値供給部は、前記設定値保持部に保持された測定値と、前記第２モードから前記第１モードへ復帰した時点の前記測定値との差分に応じて、前記設定値保持部に保持された周波数設定値を前記高速クロック発生器に供給するか否かを判定する、又は前記周波数設定値を補正する
ことを特徴とする請求項１又は２に記載の受信装置。
【請求項４】
間欠的に送信される無線信号を受信処理する第１モードと、前記受信処理を停止する第２モードとの切り替えを行う受信装置における受信処理方法であって、
前記第１モード時に前記受信処理に用いる高速クロックを発生させるステップと、
前記第１モードから前記第２モードへ移行する前に、前記高速クロックの周波数を設定する周波数設定値を保持するステップと、
前記第２モードから前記第１モードへ復帰する場合には、前記保持された周波数設定値を用いて前記高速クロックを発生させ、前記第１モードで無線信号を受信するステップ
とを含むことを特徴とする受信処理方法。
【請求項５】
間欠的に送信される無線信号を受信処理する第１モード時に、前記受信処理に用いる高速クロックを発生させる高速クロック発生器と共に使用されるベースバンドプロセッサであって、
前記第１モードと、前記受信処理を停止する第２モードとの切り替えを制御するモード制御部と、
前記第１モードから前記第２モードへ移行する前に、前記高速クロックの周波数を設定する周波数設定値を保持する設定値保持部と、
前記第２モードから前記第１モードへ復帰するとき、前記設定値保持部に保持された周波数設定値を前記高速クロック発生器に供給する設定値供給部
とを備えることを特徴とするベースバンドプロセッサ。
【発明の詳細な説明】
【技術分野】
【０００１】
本発明は、間欠受信を行う受信装置、この受信装置における受信処理方法及びベースバンドプロセッサに関する。
【背景技術】
【０００２】
携帯電話等の移動通信端末においては、待ち受け中のバッテリ消費を抑えるため、間欠受信を行っている。間欠受信では、無線通信回路の大部分の電源をオフにするスリープモードと、受信に必要な回路の電源をオンして基地局からの無線信号を受信する通常モードとが交互に実行される。通常モードでは、基地局と通信し、着信の有無や電波の状況等がチェックされる。チェックの結果、着信等がないと判定された場合は、無線通信回路の大部分の電源を再びオフにしてスリープモードへ移行する。
【０００３】
基地局と移動通信端末が同期していない状態では、移動通信端末は基地局からの信号を正常に受信できない。よって、スリープモードから通常モードへ復帰した後は、基地局のタイミングを捕捉し、移動通信端末の内部のタイミングを基地局に同期させる必要がある。
【０００４】
間欠受信を実現するために、移動通信端末の内部では、低速クロックと高速クロックの２系統のクロック信号が使用されている。低速クロックは、周波数が低く、且つ精度の低いクロック信号であり、通常モード及びスリープモードのいずれにおいても使用される。これに対して高速クロックは、周波数が高く、且つ精度の高いクロック信号であり、通常モード時にのみ使用される。
【０００５】
移動通信端末の内部のタイミングを基地局に同期させるため、間欠受信を行う移動通信端末には、高速クロックをカウントする基準カウンタが設けられる。基準カウンタのカウント値は、例えば時分割多重接続（ＴＤＭＡ）方式で規定される１フレーム期間又は１タイムスロット期間等を測定するために使用される。このため、スリープモードから通常モードへ復帰した際には、基準カウンタのカウント値を早急に補正することが重要である。基準カウンタのカウント値の補正に長時間を要する場合、カウント値を補正する回路を長時間動作させることとなるため、消費電力が増加するためである。
【０００６】
スリープモードから通常モードへ復帰する際に、基準カウンタのカウント値を補正する技術として、高速クロック及び低速クロックの各周波数の相対誤差を測定し、スリープモードから通常モードへ復帰したとき、相対誤差とスリープ状態の時間とに基づいて、基準カウンタのカウント値を補正する手法が提案されている（特許文献１参照。）。なお、特許文献１では、高速クロックとして周波数固定のクロック信号を用いている。
【特許文献１】特開２００２−３５３８６９号公報
【発明の開示】
【発明が解決しようとする課題】
【０００７】
しかしながら、近年の移動体通信端末においては、電圧制御型温度補償水晶発振器（ＶＣＴＣＸＯ）などの電圧制御型の発振器によって高速クロックを発生させることが一般的である。発信周波数可変の発振器を用いる場合、特許文献１では、スリープモードから通常モードへ復帰した際、誤差測定時の高速クロックの周波数と、復帰時の高速クロックの周波数が一致しないことがある。
【０００８】
よって、復帰時に精度良くカウント値を補正しても、高速クロックの誤差により、基準カウンタが相対誤差測定時の周期で動作しないことがある。この結果、基準カウンタのカウント値を再度補正する必要があるため、同期確立時間及び消費電力が増大するという問題がある。
【０００９】
上記問題点を鑑み、本発明は、スリープモードから通常モードへ復帰するとき、スリープモードへ移行前の状態に高速クロックを再現することで、消費電力を削減可能な受信装置、受信処理方法、及びベースバンドプロセッサを提供することを目的とする。
【課題を解決するための手段】
【００１０】
上記目的を達成するために、本発明の第１の特徴は、間欠的に送信される無線信号を受信処理する第１モードと、受信処理を停止する第２モードとの切り替えを制御するモード制御部と、第１モード時に受信処理に用いる高速クロックを発生させ、第２モード時に高速クロックを停止する高速クロック発生器と、第１モードから第２モードへ移行する前に、高速クロックの周波数を設定する周波数設定値を保持する設定値保持部と、第２モードから第１モードへ復帰するとき、設定値保持部に保持された周波数設定値を高速クロック発生器に供給する設定値供給部とを備える受信装置であることを要旨とする。
【００１１】
この特徴によれば、第２モードへ移行する前に、高速クロックの周波数を設定する周波数設定値を保持しているので、第１モードへ復帰する際に高速クロックの周波数を正確に再現可能となる。このため、同期回復や着信確認のために必要な時間が短縮され、関連する回路の動作時間も小さくできる。したがって、省電力化が実現され、バッテリ駆動時間を増加させることが可能な受信装置を提供できる。
【００１２】
本発明の第２の特徴は、第１の特徴に係る受信装置であって、高速クロックをカウントする基準カウンタと、第１モード時及び第２モード時に、高速クロックよりも周波数の低い低速クロックを発生させる低速クロック発生器と、第１モードから第２モードへ移行する前に、高速クロック及び低速クロックのそれぞれの周波数の相対誤差を測定する誤差測定部と、相対誤差を周波数設定値に対応づけて保持する誤差保持部と、第２モードから第１モードへ復帰するとき、設定値保持部に保持された周波数設定値に対応する相対誤差を誤差保持部から取得し、取得した相対誤差と第２モードの持続時間とに基づいて、基準カウンタのカウント値を補正するカウント値補正部とを更に備えることを要旨とする。
【００１３】
この特徴によれば、設定値保持部が周波数設定値を保持する際に、高速クロック及び低速クロックのそれぞれの周波数の相対誤差を測定し、第２モードから第１モードへ復帰するとき、誤差保持部に保持された相対誤差と、第２モードの持続時間とに基づいて、基準カウンタのカウント値を補正するので、復帰時に精度良くカウント値を補正できる。
【００１４】
本発明の第３の特徴は、第１又は第２の特徴に係る受信装置であって、自端末の周囲温度を示す温度情報、現在時刻を示す時刻情報、自端末の座標を示す座標情報、又は自端末の移動速度を示す速度情報の少なくとも１つを測定して測定値を得る測定器を更に備え、設定値保持部は、周波数設定値と測定値とを対応づけて保持し、設定値供給部は、設定値保持部に保持された測定値と、第２モードから第１モードへ復帰した時点の測定値との差分に応じて、設定値保持部に保持された周波数設定値を高速クロック発生器に供給するか否かを判定する、又は周波数設定値を補正することを要旨とする。
【００１５】
この特徴によれば、第１モードから第２モードへの移行時と、第２モードから第１モードへの復帰時で、受信装置の周辺環境等の変化が大きい場合、保存された周波数設定値は信頼度が低いと考えられるので、そのような場合には保存された周波数設定値を元に設定値を補正し、高速クロック発生器に補正後の設定値を設定する、又は保存された周波数設定値を高速クロック発生器に供給しないように制御することができる。
【００１６】
本発明の第４の特徴は、間欠的に送信される無線信号を受信処理する第１モードと、受信処理を停止する第２モードとの切り替えを行う受信装置における受信処理方法であって、第１モード時に受信処理に用いる高速クロックを発生させるステップと、第１モードから第２モードへ移行する前に、高速クロックの周波数を設定する周波数設定値を保持するステップと、第２モードから第１モードへ復帰する場合には、保持された周波数設定値を用いて高速クロックを発生させ、第１モードで無線信号を受信するステップとを含む受信処理方法であることを要旨とする。
【００１７】
この特徴によれば、受信装置の省電力化が実現可能であるために、バッテリ駆動時間を増加させることが可能となる。
【００１８】
本発明の第５の特徴は、間欠的に送信される無線信号を受信処理する第１モード時に、受信処理に用いる高速クロックを発生させる高速クロック発生器と共に使用されるベースバンドプロセッサであって、第１モードと、受信処理を停止する第２モードとの切り替えを制御するモード制御部と、第１モードから第２モードへ移行する前に、高速クロックの周波数を設定する周波数設定値を保持する設定値保持部と、第２モードから第１モードへ復帰するとき、設定値保持部に保持された周波数設定値を高速クロック発生器に供給する設定値供給部とを備えるベースバンドプロセッサであることを要旨とする。
【００１９】
この特徴によれば、省電力化が実現可能であり、バッテリ駆動時間を増加させることが可能なベースバンドプロセッサを提供できる。
【発明の効果】
【００２０】
本発明によれば、スリープモードから通常モードへ復帰するとき、スリープモードへ移行前の状態に高速クロックを再現することで、消費電力を削減可能な受信装置、受信処理方法、及びベースバンドプロセッサを提供できる。
【発明を実施するための最良の形態】
【００２１】
次に、図面を参照して、本発明の実施形態を説明する。以下の実施形態における図面の記載において、同一又は類似の部分には同一又は類似の符号を付している。
【００２２】
（移動通信端末の構成）
本発明の実施形態に係る移動通信端末は、図１に示すように、基地局と無線信号を送受信するアンテナ１１と、無線信号の増幅及び周波数変換等を行う無線通信回路５００と、周波数が高く、且つ精度の高いクロック信号である高速クロックＣＬＫ１発生させる高速クロック発生器１０と、周波数が低く、且つ精度の低いクロック信号である低速クロックＣＬＫ２を発生させる低速クロック発生器２００と、基地局との通信を制御するベースバンドプロセッサ１００と、各種のデータを伝達するバス６００とを備える。無線通信回路５００、高速クロック発生器１０、及びベースバンドプロセッサ１００は、バス６００を介して相互に接続される。
【００２３】
無線通信回路５００は、図示を省略する高周波（ＲＦ）回路と、中間周波（ＩＦ）処理回路等を備える。また、無線通信回路５００は、待ち受け時において間欠受信を行う。具体的には、無線通信回路５００は高速クロックＣＬＫ１を動作クロックとしており、高速クロックＣＬＫ１を定期的に停止することにより、無線通信回路５００の消費電力を削減している。なお、無線通信回路５００の大部分の電源をオフにするモードを「スリープモード」と、受信に必要な回路の電源をオンして基地局からの無線信号を受信するモードを「通常モード」とそれぞれ称する。
【００２４】
高速クロック発生器１０は、ベースバンドプロセッサ１００からバス６００を介して供給されるデジタルデータをアナログ信号に変換するデジタル／アナログ変換器（ＤＡＣ）４００と、ＤＡＣ４００が出力するアナログ信号に応じた周波数で発振する発振器３００とを備える。発振器３００としては、ＶＣＴＣＸＯ、電圧制御型水晶発振器（ＶＣＸＯ）、又は電圧制御型発振器（ＶＣＯ）が使用できる。
【００２５】
低速クロック発生器２００は、通常モード時及びスリープモード時に、低速クロックＣＬＫ２を発生させる。
【００２６】
（ベースバンドプロセッサの構成）
次に、ベースバンドプロセッサ１００について説明する。ベースバンドプロセッサ１００は、通常モードとスリープモードとの切り替えを制御するモード制御部１１０と、通常モードからスリープモードへ移行する前に、高速クロックＣＬＫ１の周波数を設定する周波数設定値を保持する設定値保持部１２０と、スリープモードから通常モードへ復帰するとき、設定値保持部１２０に保持された周波数設定値を高速クロック発生器１０に供給する設定値供給部１３０とを備える。ここで、「周波数設定値」とは、ＤＡＣ４００に入力されるデジタルデータを意味するが、ＤＡＣ４００が出力するアナログ信号の値（電圧値）であってもかまわない。
【００２７】
設定値供給部１３０は、基地局との同期をとるために、アンテナ１、無線通信回路５００、及びバス６００を介して伝達される受信信号に対して相関計算を行うことで、基地局とのタイミング補正制御を行う。この結果、設定値供給部１３０は、通常モード時において、基地局との同期を確立・維持するような周波数設定値を出力する。なお、ベースバンドプロセッサ１００内には専用のバスが存在するが、説明の便宜上、バス６００に含まれるものとしている。
【００２８】
したがって、スリープモードへ移行する前に周波数設定値を保持し、保持した周波数設定値を通常モードへ復帰する際に再設定することにより、高速クロックＣＬＫ１の周波数を正確に再現可能となる。
【００２９】
また、ベースバンドプロセッサ１００は、高速クロックＣＬＫ１をカウントする基準カウンタ１４０と、高速クロックＣＬＫ１及び低速クロックＣＬＫ２のそれぞれの周波数の相対誤差（以下、単に「相対誤差」という）を測定する誤差測定部１５０と、相対誤差を保持する誤差保持部１８０と、スリープモードから通常モードへ復帰するとき、誤差保持部１８０に保持された相対誤差と、スリープモードの持続時間とに基づいて、基準カウンタ１４０のカウント値を補正するカウント値補正部１９０とを更に備える。
【００３０】
具体的には、誤差測定部１５０は、低速クロックＣＬＫ２のカウントと、高速クロックＣＬＫ１のカウントを並行して実行し、両者のカウント値を比較することで相対誤差を測定する。
【００３１】
カウント値補正部１９０は、スリープモードから通常モードへ復帰したとき、基準カウンタ１４０の新たなカウント値を算出する。この新たなカウント値は、スリープ期間中に基準カウンタ１４０がカウント動作を継続したと仮定したときの基準カウンタ１４０のカウント値である。
【００３２】
一方、通常モード時において周波数設定値が変更されることがある。この場合、相対誤差の測定タイミングとスリープ状態に遷移するタイミングとの時間差から、変更された周波数設定値に対応する相対誤差が測定されないことが考えられる。このため、相対誤差測定時には、周波数設定値と相対誤差とを対応づけて記憶することが好ましい。
【００３３】
なお、ベースバンドプロセッサ１００は、バス６００を介して無線通信回路５００とベースバンド信号を入出力し、ベースバンド信号を信号処理するベースバンド処理部１６０と、各種の通信プロトコルに従って無線通信回路５００及びベースバンドプロセッサ１００全体を制御するプロトコル制御部１７０とを更に備えている。
【００３４】
（基準カウンタの動作）
次に、図２及び図３を参照して、基準カウンタ１４０の動作について説明する。基準カウンタ１４０は、高速クロックＣＬＫ１をカウントし、移動通信端末内部のタイミング（基地局に同期したタイミング）を決定する。ここでは、基準カウンタ１４０を用いてＴＤＭＡ方式における１フレーム期間を計測する一例を説明する。
【００３５】
基準カウンタ１４０は、図２に示すように、例えば高速クロックＣＬＫ１を一定カウント数Ｃ０だけカウントすると自動的にリセットされるように構成されている。したがって、図２のＴ１，Ｔ２，Ｔ３のそれぞれの期間を１フレーム期間と対応させることができる。
【００３６】
スリープモード時においては、図３の時刻ｔ１〜ｔ２に示すように、高速クロックＣＬＫ１が停止することによってカウント動作が停止している。図３の時刻ｔ２でスリープモードから通常モードへ復帰すると、カウント値補正部１９０は、新たなカウント値Ｃ１を基準カウンタ１４０に設定する。
【００３７】
図３の時刻ｔ２以降においては、高速クロックＣＬＫ１の生成が再開され、基準カウンタ１４０はカウント動作を再開するが、高速クロックＣＬＫ１の周波数が不適切である場合、図３の“Ｂ”に示すように、時刻ｔ２以前のカウント値の増加傾向と異なることとなる。なお、図３の“Ｂ”では、高速クロックＣＬＫ１の周波数が、本来の周波数よりも低い場合のカウント値の増加傾向を示している。
【００３８】
これに対して、時刻ｔ１で設定値保持部１２０が周波数設定値を保持し、保持した周波数設定値を時刻ｔ２で高速クロック発生器１０に供給することにより、高速クロックＣＬＫ１の周波数を適切に設定できるので、図３の“Ａ”に示すように、時刻ｔ２以前のカウント値の増加傾向を維持することが可能となる。
【００３９】
（相対誤差測定処理フロー）
次に、図４に示すフローチャートを参照して、相対誤差測定処理フローについて説明する。
【００４０】
ステップＳ１１において、誤差測定部１５０は相対誤差を測定する。
【００４１】
ステップＳ１２において、誤差保持部１８０は、ステップＳ１１で測定された相対誤差を保持する。ここで、誤差保持部１８０は、ステップＳ１１で測定された相対誤差を、設定値供給部１３０が出力する周波数設定値に対応づけて記憶することが好ましい。更に、誤差保持部１８０は、後述するように、移動通信端末の周辺環境に関する情報を記憶しても良い。
【００４２】
（スリープモード移行フロー）
次に、図５に示すフローチャートを参照して、通常モードからスリープモードへの移行フローについて説明する。
【００４３】
ステップＳ２１において、設定値保持部１２０は、設定値供給部１３０が出力する周波数設定値を保持する。更に、設定値保持部１２０は、後述するように、移動通信端末の周辺環境に関する情報を記憶しても良い。
【００４４】
ステップＳ２２において、モード制御部１１０は、通常モードからスリープモードへモードを切り替える。プロトコル制御部１７０は、ＤＡＣ４００に対する電源の供給を停止することで、高速クロックＣＬＫ１を停止させる。この結果、基準カウンタ１４０のカウント動作が停止する。
【００４５】
（通常モード復帰フロー）
次に、図６に示すフローチャートを参照して、スリープモードから通常モードへの復帰フローについて説明する。
【００４６】
ステップＳ３１において、設定値供給部１３０は、図５のステップＳ２１で保持した周波数設定値を設定値保持部１２０から読み出してＤＡＣ４００に供給する。この結果、ＤＡＣ４００は、所定の電圧を発振器３００に出力し、発振器３００の発振が開始する。
【００４７】
ステップＳ３２において発振器３００の発振安定時間経過まで待機した後、ステップＳ３３において、カウント値補正部１９０は、図４のステップＳ１２で保持した相対誤差を誤差保持部１８０から読み出す。誤差保持部１８０において、周波数設定値と相対誤差とが対応づけて記憶されている場合には、カウント値補正部１９０は、ステップＳ３１で供給した周波数設定値に対応する相対誤差を読み出す。カウント値補正部１９０は、読み出された相対誤差とスリープモードの持続時間とに基づいて、基準カウンタ１４０のカウント値を補正する。
【００４８】
以上詳細に説明したように、本発明の実施形態によれば、スリープモードから通常モードへの復帰時に精度良くカウント値を補正できると共に、スリープモードへ移行前の状態に高速クロックＣＬＫ１を再現できるので、カウント値の補正後においても基準カウンタ１４０のカウント値を正確な値に保つことができる。
【００４９】
（変形例）
本発明の実施形態の変形例に係る移動通信端末は、図７に示すように、自端末の周囲温度を示す温度情報、現在時刻を示す時刻情報、自端末の座標を示す座標情報、又は自端末の移動速度を示す速度情報の少なくとも１つを測定して測定値を得る測定器７００を更に備える点で、図１とは異なっている。温度情報を測定する場合は、測定器７００として例えば温度センサが使用できる。時刻情報を測定する場合は、測定器７００として計時装置が使用できる。座標情報を測定する場合は、測定器７００として例えばＧＰＳ受信機が使用できる。速度情報を測定する場合は、測定器７００として例えば速度センサが使用できる。
【００５０】
また、設定値保持部１２００は、周波数設定値と測定値とを対応づけて保持する。設定値供給部１３００は、設定値保持部１２００に保持された測定値と、スリープモードから通常モードへ復帰した時点の測定値との差分に応じて、設定値保持部１２００に保持された周波数設定値を高速クロック発生器１０に供給するか否かを判定する。
【００５１】
移動通信端末は、温度変化の激しい環境で使用されることがある。発振器３００は、周囲温度によって発振周波数が変化するので、温度変化の激しい環境で設定値保持部１２００に保持された周波数設定値を高速クロック発生器１０に供給すると、高速クロック発生器１０が誤動作を生じる可能性がある。
【００５２】
したがって、設定値保持部１２００に保持された温度情報と、スリープモードから通常モードへ復帰した時点の温度情報の差分が閾値以上である場合、保持している周波数設定値は信頼性が低いとみなす。
【００５３】
また、移動通信端末の処理状況により、カウンタ補正処理が予定の時間に行われない可能性がある。したがって、スリープモードから通常モードへ復帰した際、現在時間を測定し、設定値保持部１２００に保持された時間情報と、スリープモードから通常モードへ復帰した時点の時間情報の差分が閾値以上である場合、保持している周波数設定値は信頼性が低いとみなす。速度情報及び座標情報についても同様に判断される。
【００５４】
更に、誤差保持部１８００は、相対誤差と測定値とを対応づけて保持する。カウント値補正部１９００は、誤差保持部１８００に保持された測定値と、スリープモードから通常モードへ復帰した時点の測定値との差分に応じて、誤差保持部１８００に保持された相対誤差を用いて基準カウンタ１４０のカウント値を補正するか否かを判定する。またこの場合、カウント値補正部１９００は、誤差保持部１８００に保持された相対誤差を用いて基準カウンタ１４０のカウント値を補正するか否か判定する以外に、設定値保持部１２００に保持された周波数設定値を適宜補正するようにしてもよい。
【００５５】
本発明の実施形態の変形例によれば、第１モードから第２モードへの移行時と、第２モードから第１モードへの復帰時で、移動通信端末の周辺環境等の変化が大きい場合、保存された周波数設定値及び相対誤差は信頼性が低いとみなし、保存された周波数設定値及び相対誤差を使用しないように制御することができる。また、周波数設定値を補正したうえで、補正した周波数設定値に対応する相対誤差を用いて基準カウンタ１４０のカウント値を補正することもできる。
【００５６】
（その他の実施形態）
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００５７】
例えば、設定値保持部１２０が保持する周波数設定値として、無線通信回路５００の内部のＲＦシンセサイザ（図示省略）の周波数設定値を保持しても良い。更に、設定値供給部１３０は、スリープモードから通常モードへ復帰する際、設定値保持部１２０に保持されたＲＦシンセサイザの周波数設定値を、ＲＦシンセサイザに供給する。このように、ＲＦシンセサイザの周波数も再現することで、高変調下での通信も速やかへ復帰することができる。
【００５８】
また、上述した実施形態においては、ＴＤＭＡ方式を採用する移動通信端末を例に説明したが、間欠受信を行う移動通信端末であれば良く、符号分割多重接続（ＣＤＭＡ）方式等の他の通信方式を採用してもかまわない。
【００５９】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【００６０】
【図１】本発明の実施形態に係る移動通信端末の要部構成を示すブロック図である。
【図２】本発明の実施形態に係る基準カウンタの動作を説明するためのタイムチャートである。
【図３】本発明の実施形態に係る基準カウンタの動作を説明するためのタイムチャートである。
【図４】本発明の実施形態に係る移動通信端末の誤差測定手順を示すフローチャートである。
【図５】本発明の実施形態に係る移動通信端末のスリープモードへの移行手順を示すフローチャートである。
【図６】本発明の実施形態に係る移動通信端末の通常モードへの復帰手順を示すフローチャートである。
【図７】本発明の実施形態の変形例に係る移動通信端末の要部構成を示すブロック図である。
【符号の説明】
【００６１】
１…アンテナ
１０…高速クロック発生器
１１…アンテナ
１００…ベースバンドプロセッサ
１１０…モード制御部
１２０，１２００…設定値保持部
１３０，１３００…設定値供給部
１４０…基準カウンタ
１５０…誤差測定部
１６０…ベースバンド処理部
１７０…プロトコル制御部
１８０，１８００…誤差保持部
１９０，１９００…カウント値補正部
２００…低速クロック発生器
３００…発振器
４００…ＤＡＣ
５００…無線通信回路
６００…バス
７００…測定器  
【図１】
2008005336.tif 000003
【図２】
2008005336.tif 000004
【図３】
2008005336.tif 000005
【図４】
2008005336.tif 000006
【図５】
2008005336.tif 000007
【図６】
2008005336.tif 000008
【図７】
2008005336.tif 000009